(57)【要約】      （修正有）【課題】使用しない場合は折り畳んだ状態にし、使用時に展開する折り畳み式の食品容器であって、安定した展開状態が得られる環境に優しい食品収納容器を提供する。【解決手段】蓋面板部４と側面板部３と紙製食品容器とからなり、蓋面板部は、１．５〜２．５ｍｍの厚さの木製、又は紙製の板の置き蓋、被せ蓋、又は嵌め込み蓋形状であり、側面板部は、数箇所で折り曲げ可能な箇所を持つ２〜１５ｍｍの厚さの１５〜５０μｍの紙、又はポリオレフィンフイルムを片面に被膜した細長い木製平板、又は紙製の板であり、食品群を充填させる紙製食品容器は、加工した食品を種々収納できるような容積３０〜８００ｍＬで、略立方体、略長方体、略三角体、及び略円筒体から選ばれた形状体に圧縮成形された１．５〜２．５ｍｍ厚さの弁当箱形状容器５にして、深さ３０〜８０ｍｍで全体容積４００〜１５００ｍｌの角形又は円形形状である。【選択図】図１
0003225944.tif 000002
【実用新案登録請求の範囲】
【請求項１】
食品収納容器において、蓋面板部と側面板部と紙製食品容器とからなり、蓋面板部は、１．５〜２．５ｍｍの厚さの木製、又は紙製の板の置き蓋、被せ蓋、嵌め込み蓋形状であり、側面板部は、数箇所で折り曲げ可能な箇所を持つ２〜１５ｍｍの厚さの１５〜５０μｍの紙、又はポリオレフィンフイルムを片面に被膜した細長い木製平板、又は紙製の板であり、食品群を充填させる紙製食品容器は、加工した食品が種々収納できるような所望の形状様式に圧縮成形された１．５〜２．５ｍｍ厚さの紙製弁当箱形状容器にして、全体容器として高さ３０〜８０ｍｍで容積４００〜１５００ｍｌの角形又は円形形状であることを特徴とする環境に優しい食品収納容器。
【請求項２】
側面板部は、幅３０〜８０ｍｍで、長さ３００〜８００ｍｍの２〜１５ｍｍの厚さの無垢木製平材又は紙製の板の片面に紙、又はポリオレフィンフイルムを被膜したものであり、前記側面板部の上部から５〜１５ｍｍの位置に２〜４ｍｍの幅、３〜１０ｍｍの深さの溝部を設けており、被覆した平板材は、被覆されていない板面を内側にして、容器としては角状、又は円形状を持つ形状体であることを特徴とする請求項１に記載の環境に優しい食品収納容器。
【請求項３】
側面板部で被覆した平板材又は紙製の板は、角状形体の場合には被覆されていない板面を内側にして１〜８箇所に二連Ｖ字掘り込み体を設けており、前記二連Ｖ字掘り込み体では二個の連続のＶ字掘り込み部をもったもので、Ｖ字掘り込み間隔を２〜５ｍｍにして、両先端の結合のために、両先端部の２０〜３０ｍｍの幅で１．４〜１．７ｍｍの厚さに切削して、切削した両先端を接着剤にて接合させているか、又は角状形体の角の面で接合することを特徴とする請求項１に記載の環境に優しい食品収納容器。
【請求項４】
紙製食品容器は、加工した食品が収納できる１．５〜２．５ｍｍ厚さの紙製弁当箱形容器で、高さ２０〜７０ｍｍで容積として４００〜１５００ｍｌであり、容器で上部の縁を５〜１０ｍｍの縁部を設けて、前記縁部を前記側面板部の上部面に掛けたり、又は内側に溝部を設けて差し込むようにして、容器内部に挿入できるようになった掛け形様容器であり、前記紙製食品容器の底部面は開口上面の面積より８０〜９０％の面積にして、高さの傾斜を持たせて２５〜６５ｍｍにして、紙製食品容器の表面にコートされていることを特徴とする請求項１〜請求項４のいずれかに記載の環境に優しい食品収納容器。
【考案の詳細な説明】
【技術分野】
【０００１】この考案は箱形の木質板を外面して、内部に食品包装容器に収納できる木質組み立て式角形状弁当容器に関する。
【背景技術】
【０００２】インナー容器が箱本体から抜けるのを効果的に防止できる紙弁当容器として、
弁当容器は、紙箱の箱本体にプラスチック製のインナー容器を傾斜周壁の内側にセットしており、箱本体の傾斜周壁外面に化粧シートを接着し、インナー容器には外周壁の上端縁に沿って鍔部を設け、化粧シートは、傾斜周壁の外面から内面まで伸びて接着され、内面に接着している化粧シートの下縁を、インナー容器の鍔部１０の係止位置に配置しており、鍔部が、傾斜周壁内面に接着している化粧シートの下縁に係止されてインナー容器の抜け落ちが阻止される容器が提案されている（特許文献１参照）。【０００３】複数の小分け収納部分を備え、簡単な工程で容易に組み立てることができる新規な収納容器を提供する。加熱による強度の低下などを防止することができる紙製の収納容器として、各小分け容器体は一枚の板紙の折り曲げと貼り付けにより組み立てられる。外装体は四角形の底壁部と、相対向する一対の側壁部を備え、底壁部上に各小分け容器体が直線状に連なるよう配置し、膨出状の側面板を側壁部に貼り付ける容器が提案されている（特許文献２参照）。【０００４】水分が多い食品を収容しても形が崩れることが無く、衛生的で高級感がある食品容器に、底部と側壁部と仕切り部を有する食品容器であって、少なくとも前記側壁部及び仕切り部は、原紙の両面に樹脂層を設けてなる積層シートからなり前記積層シートを水中に３０分浸漬したときに端面から水が浸透した距離が１０ｍｍ以下である。また、前記原紙がミルクカートン紙で、さらに前記側壁部の外周に第２の側壁部を有する食品容器は弁当箱として用いる（特許文献３参照）。【０００５】木目をもって木の香りがした食事用具の食品包装容器において、食品を簡単に包装できて、容器自体も衛生的見地から、木製薄板で加工された食品包装用具として、針葉樹林であるエゾマツ材、モミ材、ヒノキ材、スギ材、マツ材から選ばれた厚さ０．１〜１ｍｍの木製の薄平板の上片面に、和紙、又はポリオレフィンの極薄品のフイルムで食品安全な接着剤によって接着被覆された自然木状表面を持つ擬似未加工状態の薄板によって、厚さ３〜１２ｍｍ、縦３０〜１５０ｍｍ、長さ１００〜５００ｍｍの長方形、正方形、台形の木製板の２〜４枚を両端にして、前記木製板の周囲全体を巻くように覆って、内部を前記の針葉樹材の表面を持つ木製容器になっている木製薄板使用食品包装用具が提案されている（特許文献４参照）。【０００６】組立式であって、使用後、平板状のまま容器の四隅を洗いやすく、収納を楽にした一枚のシート材に折り目加工をした特徴ある折り畳み式の食品容器を提供するために、底部の四隅方向の折り目を介して左右の壁と前後の壁を設け、更に前後の壁の延長である先端の折込部を内側に折り曲げ、折込部の更に内側と前後の壁の内側に留め部を備えたシート材の折り畳み式の食品容器が提案されている（特許文献５参照）。【０００７】使用しない場合は折り畳んだ状態にし、使用時に展開する折り畳み式の弁当容器であって、従来の技術に見られるように弁当容器が展開した状態を保つために別途支持板を嵌め込むことなく、弁当容器の安定した展開状態が得られる木質弁当容器を提供する。木質の弁当容器であって、底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該弁当容器が展開した状態を保つように設けた端面封着紙と、によって構成することが提案されている（特許文献６参照）。【０００８】在庫管理を容易にするために、樹脂製、紙製の折り畳み式平面状食品包装容器は種々存在しているが、木製側板と蓋板を持つ環境に優しい折り畳み式平面状食品包装容器は見当たらない。特に木材、紙の折り曲げの技術に課題をもっている。
【先行技術文献】
【特許文献】
【０００９】
【特許文献１】実用新案登録第３２０８５２０号公報
【特許文献２】特開２０１２−１７１３４号公報
【特許文献３】特開２０１１−３７４８５号公報
【特許文献４】特開２０１６−１９６３２７号公報
【特許文献５】実開平５−２９９２５号公報
【特許文献６】実用新案登録第３１３４１１１号公報
【考案の概要】
【考案が解決しようとする課題】
【００１０】この考案は、現在世界的に話題になっている環境に優しい包装容器であって、また使用しない場合は折り畳んだ状態にし、使用時に展開する折り畳み式の外見は木材である包装容器であって、従来の技術に見られるように、特殊紙製の食品包装容器を使用した状態を保つために、内部に紙製特殊形状である容器を嵌め込むことによって、食品収納の木製板容器の安定した展開状態が得られる木質平板状包装容器を提供する。従来の問題点に鑑みてなされたもので、木製薄板の木製薄板使用食品包装用具に簡単に食品を包装することができて、また木の温もりと木の香りとその殺菌性で衛生的な木製板側板、蓋板の食事用具で、食品容器が汚れを少なくすることもできることが期待されている。特に簡単に食品の包装ができて、使い捨て、又保管も容易であり、しかも蓋板、側板での木製で木の香りをもって、自然観を持たせた食事用具を提供することを課題としたものである。【００１１】前記の点に鑑みなされたものであり、環境に優しく、すべて自然に帰る材料として、木材と紙とからできて、外見として木材の容器の折り畳みを可能とし、保管も小スペースで済み、省スペース化を図ることにより廃棄や回収時の効率を高めることができる新たな容器並びにその折り畳みのための構造を提供するものである。容器の折り畳みを可能とし、省スペース化を図ることにより廃棄や回収時の効率を高めることができる新たな容器並びにその折り畳みのための構造、さらに環境に優しい容器を用いた食品を提供するものである。
【課題を解決するための手段】
【００１２】食品収納容器において、蓋面板部と側面板部と紙製食品容器とからなり、蓋面板部は、１．５〜２．５ｍｍの厚さの木製、又は紙製の板の置き蓋、被せ蓋、嵌め込み蓋形状であり、側面板部は、数箇所で折り曲げ可能な箇所を持つ２〜１５ｍｍの厚さの１５〜５０μｍの紙、又はポリオレフィンフイルムを片面に被膜した細長い木製平板、又は紙製の板であり、食品群を充填させる紙製食品容器は、加工した食品が種々収納できるような所望の形状様式に圧縮成形された１．５〜２．５ｍｍ厚さの紙製弁当箱形状容器にして、全体容器として高さ３０〜８０ｍｍで容積４００〜１５００ｍｌの角形又は円形形状である環境に優しい食品収納容器である。【００１３】側面板部は、幅３０〜８０ｍｍで、長さ３００〜８００ｍｍの２〜１５ｍｍの厚さの無垢木製平材又は紙製の板の片面に紙、又はポリオレフィンフイルムを被膜したものであり、前記側面板部の上部から５〜１５ｍｍの位置に２〜４ｍｍの幅、３〜１０ｍｍの深さの溝部を設けており、被覆した平板材は、被覆されていない板面を内側にして、容器としては角状、又は円形状を持つ形状体である。【００１４】側面板部で被覆した平板材又は紙製の板は、角状形体の場合には被覆されていない板面を内側にして１〜８箇所に二連Ｖ字掘り込み体を設けており、前記二連Ｖ字掘り込み体では二個の連続のＶ字掘り込み部をもったもので、Ｖ字掘り込み間隔を２〜５ｍｍにして、両先端の結合のために、両先端部の２０〜３０ｍｍの幅で１．４〜１．７ｍｍの厚さに切削して、切削した両先端を接着剤にて接合させているか、又は角状形体の角の面で接合する。【００１５】紙製食品容器は、加工した食品が収納できる１．５〜２．５ｍｍ厚さの紙製弁当箱形容器で、高さ２０〜７０ｍｍで容積として４００〜１５００ｍｌであり、容器で上部の縁を５〜１０ｍｍの縁部を設けて、前記縁部を前記側面板部の上部面に掛けたり、又は内側に溝部を設けて差し込むようにして、容器内部に挿入できるようになった掛け形様容器であり、前記紙製食品容器の底部面は開口上面の面積より８０〜９０％の面積にして、高さの傾斜を持たせて２５〜６５ｍｍにして、紙製食品容器の表面にコートされている。【００１６】角形形状である蓋面板部は、主体として２．５〜３．５ｍｍの厚さのファルカタ木製平板、及び紙製板の一辺４０〜２５０ｍｍの三角形、四角形、五角形、六角形、八角形である。蓋として置き蓋、被せ蓋、嵌め込み蓋があるが、置き蓋の場合には、各角形状の角部分、又は円形部で端から２．５〜３．５ｍｍのところの２〜４箇所に直径３５ｍｍの深さ３〜５ｍｍの円形穴部を設けて、紙製食品収納容器の上部の縁部に取り付けている凸部に接合できるようになっている。
【考案の効果】
【００１７】この考案による木製、又は紙製の板折り畳み式平面状食品包装容器は、側板面部を折り畳みによって包装容器になる厚さの１〜４枚の木製、又は紙製の板である側板と蓋板の平板からなっており、数箇所折りになっている側面部を一体に成形すること、あるいは数枚の側板を組み合わせることによって製造工程を簡易化することができるため、製品の歩留まりを高めることができるとともに、収納、保管も簡素になり、大きな容量を取ることもなく、側板の組み合わせたり、側板で折り畳んで収納、搬送する場合に便利である。また収納して特殊成型した形状の紙製食品包装容器でも使用する場合に加温も可能になって、弁当容器として展開した状態で外観、機能の面で確実に保つことができるという利点を有する。また廃棄において環境にも優れており、使用時に木の温もりと木の香りとその殺菌性で衛生的な木製、又は紙製の板の側板、蓋板、紙製食品容器になっている。廃棄、処分が環境に問題ないものになっている。
【図面の簡単な説明】
【００１８】
【図１】環境に優しい食品収納容器組を示した斜視図である。Ａ：木製平板での蓋、側板を示した容器状態  Ｂ：木製製平板での蓋、側板と紙製食品収納容器を示した容器状態
【図２】環境に優しい食品収納容器の部品を示した説明図である。Ａ：蓋面木製平板  Ｂ：紙製食品収納容器  Ｃ：木製側面板部
【図３】環境に優しい食品収納容器の収納容器にける木平板製側面板部の状態を示した図である。Ａ：側面板横面図  Ｂ：側面板縦面図  Ｃ：組み立て図
【図４】環境に優しい食品収納容器の収納容器にける木平板製蓋部の種類を示した図である。Ａ：置き蓋  Ｂ：被せ蓋  Ｃ：嵌め込み蓋
【図５】環境に優しい食品収納容器の収納容器にける紙製食品収納容器に食品を充填した状態を示した図である。Ａ：被せ蓋  Ｂ：食品充填した容器
【考案を実施するための形態】
【００１９】この考案は、使用しない場合は折り畳んで収納することができ、展開して弁当容器として使用できる環境に優しい食品収納容器を提供するものであって、蓋面部と底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに環境に優しい食品収納容器が展開した状態を保つように設けた。かかる環境に優しい食品収納容器の構造と特徴を説明するために、具体的な実施例を挙げ、図面を参照にして以下に説明する。
【実施例１】
【００２０】図１、図２に示すように環境に優しい食品収納容器において、蓋面板部と木製側面板部と紙製食品容器とからなり、蓋面板部は、２ｍｍの厚さの木製平板の角形であり、側面板部は、４箇所で折り曲げ可能な箇所を持つ３ｍｍの厚さの５０μｍのポリオレフィンフイルムを片面に被膜した一枚の細長い木製平板であり、紙製食品容器は、加圧加工して、３箇所に食品が収納できるようにした２．５ｍｍ厚さの表面処理したバカス製弁当箱状容器で、高さ４５ｍｍで容積として約６００ｍｌである環境に優しい食品収納容器であった。【００２１】図３に示すように側面板部は、幅４５ｍｍで、長さ６００ｍｍの３ｍｍの厚さの無垢木製平材、又は平木材の片面にポリオレフィンフイルムを被膜したものであり、前記側面板部の上部から３ｍｍの位置に３ｍｍの幅、１．５ｍｍの深さの溝部を設けており、被覆した平板材は、被覆されていない板面を内側にして、容器としては角状、又は円形状を持つ形状体であって１箇所で接合した。【００２２】側面板部で被覆した平板材は、被覆されていない板面を内側にして２箇所に二連Ｖ字掘り込み体を設けており、前記二連Ｖ字掘り込み体では二個の連続のＶ字掘り込み部をもったもので、Ｖ字掘り込み間隔を２ｍｍにして、Ｖ字の掘り込み口部の幅を５ｍｍ、高さを２ｍｍにして、両先端の結合のために、両先端部の３０ｍｍの幅で１．５ｍｍの厚さに切削して、切削した両先端を接着剤にて接合させた。【００２３】図２Ｂに示すように、紙製食品容器は、加工した食品が収納できる２．５ｍｍ厚さのバカス製弁当箱形容器で、高さ４０ｍｍで容積として６００ｍｌであり、容器で上部の縁を２ｍｍの縁部を設けて、前記縁部を前記側面板部の上部面に掛けたり、又は内側に溝部を設けて差し込むようにして、容器内部に挿入できるようになった掛け形容器であり、前記紙製食品容器の底部面は開口上面の面積より８０％の面積にして、高さの傾斜を持たせて２５ｍｍにした。【００２４】角形形状である蓋面板部は、主体として３０ｍｍの厚さのファルカタ木製平板の一辺横１００ｍｍと縦２００ｍｍの四角形である。蓋として置き蓋があるが、置き蓋の場合には、各角形状の角部分で端から３ｍｍのところの４箇所に直径５ｍｍの深さ３ｍｍｍの円形穴部を設けて、紙製食品収納容器の上部の縁部に取り付けている凸部に接合できるようになった。弁当容器として使用した。
【実施例２】
【００２５】食品収納容器において、実施例１と同様に、紙製蓋面板部と木製側面板部と紙製食品容器とからなり、蓋面板部は、２．５ｍｍの厚さの紙製の杢目入り板の被せ蓋であり、木製側面板部は、４箇所で折り曲げ可能な箇所を持つ５ｍｍの厚さの１５μｍのポリオレフィンフイルムを片面に被膜した細長い木製平板であり、食品群を充填させる紙製食品容器は、加工した食品が種々収納できるような所望の形状様式に圧縮成形された２．５ｍｍ厚さの紙製弁当箱形状容器にして、全体容器として高さ４０ｍｍで容積７５０ｍｌの角形又は円形形状であった。【００２６】木製側面板部は、幅５０ｍｍで、長さ５００ｍｍの５ｍｍの厚さの無垢木製平材の片面にポリオレフィンフイルムを被膜したものであり、前記側面板部の上部から８ｍｍの位置に４ｍｍの幅、３ｍｍの深さの溝部を設けており、被覆した平板材は、被覆されていない板面を内側にして、容器としては角状を持つ形状体であった。【００２７】側面板部で被覆した木製の板は、角状形体の場合には被覆されていない板面を内側にして２箇所に二連Ｖ字掘り込み体と２箇所に一連Ｖ字掘り込み体とを設けており、前記二連Ｖ字掘り込み体では二個の連続のＶ字掘り込み部をもったもので、Ｖ字掘り込み間隔を３ｍｍにして、両先端の結合のために、両先端部の３０ｍｍの幅で１．５ｍｍの厚さに切削して、切削した両先端を接着剤にて接合させているか、又は角状形体の角の面で接合した。【００２８】紙製食品容器は、加工した食品が収納できる２．５ｍｍ厚さの紙製弁当箱形容器で、高さ５０ｍｍで容積として７５０ｍｌであり、容器で上部の縁を８ｍｍの縁部を設けて、前記縁部を前記側面板部の上部面に掛けたり、又は内側に溝部を設けて差し込むようにして、容器内部に挿入できるようになった掛け形容器であり、前記紙製食品容器の底部面は開口上面の面積より９０％の面積にして、高さの傾斜を持たせて５０ｍｍにして、紙製食品容器の表面にコートした。【００２９】角形形状である紙製蓋面板部は、主体として２．５ｍｍの厚さの紙製板の一辺４０〜２５０ｍｍの四角形であり、図５で示すように、蓋として被せ蓋である、紙製食品収納容器の上部の縁部に取り付けている蓋とした。弁当容器として使用した。
【実施例３】
【００３０】実施例１と同様に全体で紙製食品収納容器において、紙蓋面板部と紙側面板部と紙製食品容器とからなり、蓋面板部は、２．５ｍｍの厚さの紙製の板の被せ蓋形状であり、側面板部は、数箇所で折り曲げ可能な箇所を持つ紙製の板であり、食品群を充填させる紙製食品容器は、加工した食品が種々収納できるような所望の形状様式に圧縮成形された２ｍｍ厚さの紙製弁当箱形状容器にして、全体容器として高さ５０ｍｍで容積８００ｍｌの角形形状であった。【００３１】側面板部は、幅５０ｍｍで、長さ８００ｍｍの１５ｍｍの厚さの紙製の板の片面に紙を被膜したものであり、前記側面板部の上部から１０ｍｍの位置に４ｍｍの幅、５ｍｍの深さの溝部を設けており、被覆した平板材は、被覆されていない板面を内側にして、容器としては角状形状を持つ形状体であった。【００３２】側面板部で被覆した平板材又は紙製の板は、角状形体の場合には被覆されていない板面を内側にして２箇所に二連Ｖ字掘り込み体を設けており、前記二連Ｖ字掘り込み体では二個の連続のＶ字掘り込み部をもったもので、Ｖ字掘り込み間隔を３ｍｍにして、両先端の結合のために、両先端部の２０ｍｍの幅で１．４ｍｍの厚さに切削して、切削した両先端を接着剤にて接合させているか、又は角状形体の角の面で接合した。【００３３】紙製食品容器は、加工した食品が収納できる２．５ｍｍ厚さの紙製弁当箱形容器で、高さ５０ｍｍで容積として８００ｍｌであり、容器で上部の縁を５ｍｍの縁部を設けて、前記縁部を前記側面板部の上部面に掛けたり、又は内側に溝部を設けて差し込むようにして、容器内部に挿入できるようになった掛け形容器であり、前記紙製食品容器の底部面は開口上面の面積より９０％の面積にして、高さの傾斜を持たせて５５ｍｍにして、紙製食品容器の表面にコートされた。
角形形状である蓋面板部は、主体として２．５ｍｍの厚さ紙製板の一辺４０〜２５０ｍｍの四角形であり、蓋として被せ蓋があった。
【符号の説明】
【００３４】１．  環境に優しい食品収納容器
２．  紙製食品容器
３．  側面板
４．  蓋板
５．  紙製弁当箱状容器
６．  削り部
７．  木製ファルカタ材
８．  折り曲げ部
９．  凹部
１０．凸部
１１．縁部
１２．穴部
１３．木目
１４．掘り込み部
１５．仕切り
１６．食品
【図１】
0003225944.tif 000003
【図２】
0003225944.tif 000004
【図３】
0003225944.tif 000005
【図４】
0003225944.tif 000006
【図５】
0003225944.tif 000007
【手続補正書】
【提出日】令和2年1月28日(2020.1.28)
【手続補正１】
【補正対象書類名】実用新案登録請求の範囲
【補正対象項目名】全文
【補正方法】変更
【補正の内容】
【実用新案登録請求の範囲】
【請求項１】
食品収納容器において、蓋面板部と側面板部と紙製食品容器とからなり、蓋面板部は、１．５〜２．５ｍｍの厚さの木製、又は紙製の板の置き蓋、被せ蓋、又は嵌め込み蓋形状であり、側面板部は、数箇所で折り曲げ可能な箇所を持つ２〜１５ｍｍの厚さの１５〜５０μｍの紙、又はポリオレフィンフイルムを片面に被膜した細長い木製平板、又は紙製の板であり、食品群を充填させる紙製食品容器は、加工した食品を種々収納できるような容積３０〜８００ｍＬで、略立方体、略長方体、略三角体、及び略円筒体から選ばれた２〜８個の形状体に圧縮成形された１．５〜２．５ｍｍ厚さの弁当箱形状にして、前記紙製食品容器として深さ３０〜８０ｍｍで全体容積４００〜１５００ｍｌの角形又は円形形状であることを特徴とする環境に優しい食品収納容器。
【請求項２】
側面板部は、幅３０〜８０ｍｍで、長さ３００〜８００ｍｍの２〜１５ｍｍの厚さの無垢木製平材又は紙製の板の片面に紙、又はポリオレフィンフイルムを被膜したものであり、前記側面板部の上部から５〜１５ｍｍの位置に２〜４ｍｍの幅、３〜１０ｍｍの深さの溝部を設けており、被覆した平板材は、被覆されていない板面を内側にして、容器としては角状、又は円形状を持つ形状体であることを特徴とする請求項１に記載の環境に優しい食品収納容器。
【請求項３】
側面板部で被覆した平板材又は紙製の板は、角状形体の場合には被覆されていない板面を内側にして１〜８箇所に二連Ｖ字掘り込み体を設けており、前記二連Ｖ字掘り込み体では二個の連続のＶ字掘り込み部をもったもので、Ｖ字掘り込み間隔を２〜５ｍｍにして、両先端の結合のために、両先端部の２０〜３０ｍｍの幅で１．４〜１．７ｍｍの厚さに切削して、切削した両先端を接着剤にて接合させているか、又は角状形体の角の面で接合することを特徴とする請求項１に記載の環境に優しい食品収納容器。
【請求項４】
紙製食品容器は、加工した食品が収納できる１．５〜２．５ｍｍ厚さの紙製弁当箱形容器で、深さ２０〜７０ｍｍで容積として４００〜１５００ｍｌであり、容器で上部の縁を５〜１０ｍｍの縁部を設けて、前記縁部を前記側面板部の上部面に掛けたり、又は内側に溝部を設けて差し込むようにして、容器内部に挿入できるようになった掛け形様容器であり、前記紙製食品容器の底面は上部開口面の面積に対して８０〜９０％の面積の縮小面になって、深さ方向においては開口面から底面に長さ２５〜６５ｍｍの傾斜面の状態にしており、紙製食品容器の内部表面には表面処理されていることを特徴とする請求項１〜請求項３のいずれかに記載の環境に優しい食品収納容器。